(57)【要約】【課題】  咄嗟の際にアクセルペダルとブレーキペダルとを踏み間違えたり、意識喪失時にアクセルペダルを踏み込んでしまうという運転者の誤操作を、簡単な構成で効果的に抑制できるアクセルペダル誤操作防止機構を提供する。【解決手段】  アクセルペダルとブレーキペダルとを踏み間違えたり、意識喪失下でアクセルペダルを踏み込むという誤操作を防止するためのアクセルペダル誤操作防止機構であって、アクセルペダル２をブレーキペダル１に隣接して配置し、アクセルペダル２の幅Ｈを運転者の足Ｆの第一趾ｆ１及び第二趾ｆ２の幅より小さくした。アクセルペダル２の幅Ｈを、運転者の足Ｆの第一趾ｆ１の幅と同等としてもよい。【選択図】  図１
2017165294.tif 000002
【特許請求の範囲】
【請求項１】
アクセルペダルとブレーキペダルとを踏み間違えたり、意識喪失下でアクセルペダルを踏み込むという誤操作を防止するためのアクセルペダル誤操作防止機構であって、
アクセルペダルをブレーキペダルに隣接して配置し、
前記アクセルペダルの幅を運転者の足の第一趾及び第二趾の幅より小さくしたこと、
を特徴とするアクセルペダル誤操作防止機構。
【請求項２】
前記アクセルペダルの幅を、運転者の足の第一趾の幅と同等としたことを特徴とする請求項１に記載のアクセルペダル誤操作防止機構。
【請求項３】
前記アクセルペダルの長さを、運転者の足の第一趾から母趾球までの長さと同等としたことを特徴とする請求項１又は２に記載のアクセルペダル誤操作防止機構。
【請求項４】
未操作時の前記アクセルペダルの操作面の高さを、未操作時の前記ブレーキペダルの操作面の高さよりも低くしたことを特徴とする請求項１〜３のいずれかに記載のアクセルペダル誤操作防止機構。
【請求項５】
前記アクセルペダル及び前記ブレーキペダルのいずれか一方に、前記第一趾を当接させる当接部材を設けたことを特徴とする請求項１〜４のいずれかに記載のアクセルペダル誤操作防止機構。
【請求項６】
前記ブレーキペダル又は前記アクセルペダルのいずれか他方に、前記当接部材とブレーキペダル又は前記アクセルペダルとの干渉を防止する干渉防止手段を設けたことを特徴とする請求項５に記載のアクセルペダル誤操作防止機構。
【発明の詳細な説明】
【技術分野】
【０００１】
本発明は、車両の運転者が誤ってアクセルペダルとブレーキペダルとを間違えて操作したり、運転中の意識喪失によりアクセルペダルを踏む込んでしまうというようなアクセルペダルの誤操作を抑制できるアクセルペダル誤操作防止機構に関する。
【背景技術】
【０００２】
近年、運転者のブレーキペダルとアクセルペダルとの踏み間違いによる車両事故が多く発生している。これは、クラッチペダル操作のない自動変速機が一般化したことと、高齢ドライバーの増大に起因するところが大きい。このような運転者による誤った車両の操作を低減するために、従来より種々の提案がなされている（例えば、特許文献１〜３参照）。
【０００３】
例えば特許文献１には、ブレーキペダルよりもアクセルペダルを小さくして、踏み間違いが起きにくいようにした技術が記載されている。また、特許文献２，３には、レバー形のアクセルをブレーキペダルに一体に設けて、アクセルをブレーキペダルに対して横方向に動かすようにした技術が記載されている。
また、特許文献４や特許文献５のように、ソフトウェアを利用した制御によって誤操作を抑制しようとする試みもなされている。
【先行技術文献】
【特許文献】
【０００４】
【特許文献１】特開２０１２−９１７６５号公報（例えば段落０００３、段落０００５及び図４の記載参照）
【特許文献２】特開２０１４−１５１８９８号公報（例えば図１，２の記載参照）
【特許文献３】特許第２７５３４０５号公報（例えば図８〜１０の記載参照）
【特許文献４】特開２０１５−２０５５３６号公報
【特許文献５】特開２０１４−６８５３号公報
【発明の開示】
【発明が解決しようとする課題】
【０００５】
しかし、現状の車両においてもアクセルペダルはブレーキペダルより小さく、特許文献１に記載の技術のように単にアクセルペダルの大きさをブレーキペダルの大きさよりも小さくしただけでは誤操作を効果的に抑制することはできない。
また、特許文献２，３のように、アクセルペダルの操作方向をブレーキペダルの操作（踏み込み）方向に対して直交させれば、誤操作を効果的に抑制できると思われるが、自動車が普及して以来、永い歴史のある従来の踏み込み式のアクセルの操作方向を横向きに変えることは、一般の運転者になじみにくいばかりか却って事故を誘発するおそれがある。
【０００６】
さらに、特許文献４，５のようにソフトウェアで制御するものは、センサを配置したり、プログラムを書き換えたりする必要があるなど煩雑で、普及が進んで一般化されないとバグなどによる誤動作のおそれがあるという問題がある。
またさらに最近では、心臓疾患や脳疾患などの疾病が原因で運転の途中で運転者が意識を喪失し、アクセルペダルを強く踏み込んで児童生徒の列や人混みに車両が突っ込んで多くの犠牲者が出る事件が多発し、社会問題になっている。
【０００７】
本発明は上記の課題を解決するためになされたもので、咄嗟の場合に運転者がアクセルペダルとブレーキペダルとを踏み間違える誤操作を効果的に抑制でき、かつ、疾病等により運転者が運転の途中に意識を喪失しても、アクセルペダルから自然に足が離れることで事故を未然に防止できる簡単な構成の車両用誤操作防止機構の提供を目的とする。
【課題を解決するための手段】
【０００８】
上記課題を解決するために本発明の発明者が鋭意研究を行った結果、パニック状態に陥った運転者は足底の全体でペダルを踏み込もうとする傾向が強いことを見出した。このような動作に対しては、アクセルペダルをブレーキペダルよりも小さくするだけでは不十分である。また、通常、人は意識を喪失すると脚の筋力が抜けて膝が外側に開き、これにより足が外傾しようとする。本発明の発明者はこのような作用に着目し、意識を喪失したときにアクセルペダルから自然に足が脱落するようにすればよいことを見出した。
【０００９】
そこで本発明の発明者は、ブレーキペダルの横にアクセルペダルを隣接して配置すること及びアクセルペダルの幅を、足の指の第一趾及び第二趾が掛かる程度、好ましくは第一趾が掛かる程度の幅とすれば良いこと、また前記アクセルペダルの長さは、運転者の足の第一趾から母趾球までの長さと同等程度とすればよいことに想到した。
このようにすることで、パニック状態に陥った運転者がアクセルペダルだけを踏み込む、という誤操作を効果的に抑制することができる。
また、運転者の体幹中心のほぼ延長線上に配置されたブレーキペダルの横に上記したようなアクセルペダルを配置することで、運転者が意識を喪失したときに運転者の足がアクセルペダルから自然に脱落しやすくすることができる。
【００１０】
未操作時のアクセルペダルの操作面の高さは、未操作時のブレーキペダルの操作面の高さよりも低くするとよい。
また、ブレーキペダルとアクセルペダルとにどの程度の高低差を設けて配置するかによるが、高低差が大きかったり、運転者の足が非常に小さいような場合は、ブレーキペダルとアクセルペダルとの間の隙間に運転者の足の先が嵌り込んでしまうおそれがある。そこでこのような事態を抑制すべく、アクセルペダルのブレーキペダル側の端縁に、運転者の足が当接する当接部材を設けるとよい。また、このような当接部材を設ければ、アクセルペダルが小さくても、当接部材に当接するまで運転者の足をブレーキ側に移動させるだけで、簡単にアクセルペダルに足を掛けることができるようになるという利点もある。さらに、ブレーキペダルやアクセルペダルには横方向に若干の遊びがあることから、ブレーキペダルの操作時に、ブレーキペダルが隣接配置したアクセルペダルと干渉しないようにするための干渉抑制手段を設けてもよい。
【００１１】
具体的に、本発明は、請求項１に記載するように、ブレーキ操作時にアクセルとブレーキとを踏み間違える誤操作を防止するためのアクセルペダル誤操作防止機構であって、アクセルペダルをブレーキペダルに隣接して配置し、前記アクセルペダルの大きさを運転者の足の第一趾及び第二趾の幅より小さくした構成としてある。
請求項２に記載するように、前記アクセルペダルの大きさを、運転者の足の第一趾の幅と同等とするとよく、請求項３に記載するように記アクセルペダルの長さは、運転者の足の第一趾から母趾球までの長さと同等程度とするとよい。また、請求項４に記載するように、未操作時の前記アクセルペダルの操作面の高さを、未操作時の前記ブレーキペダルの操作面の高さよりも低くするとよい。
【００１２】
アクセルペダルとブレーキペダルとの間の隙間に運転者の足の先が入り込まないように、例えば請求項５に記載するように、前記アクセルペダル及び前記ブレーキペダルのいずれか一方に、前記第一趾を当接させる当接部材を設けるとよい。この場合請求項６に記載するように、前記ブレーキペダル又は前記アクセルペダルのいずれか他方に、前記当接部材とブレーキペダル又は前記アクセルペダルとの干渉を防止する干渉防止手段を設けるとよい。
【発明を実施するための最良の形態】
【００１３】
以下、本発明の好適な実施形態を、図面を参照しつつ詳細に説明する。
［第一の実施形態］
図１は本発明の誤操作防止機構の第一の実施形態にかかり、（ａ）はブレーキペダルとアクセルペダルとの位置関係及びアクセルペダルの大きさを説明する平面図、（ｂ）はブレーキペダル及びアクセルペダルの操作面の高さ関係を説明する側面図である。
【００１４】
ブレーキペダル１は、運転者の足Ｆによって十分に操作が容易な大きさであって、従来の車両用のブレーキペダルと同じものを用いることができる。ブレーキペダル１の配置位置は、後述のアクセルペダル２の配置位置を決定する。そこで、ブレーキペダル１の配置位置は、運転者の意識喪失により膝が外側に開いて足Ｆがアクセルペダル２から自然に脱落するような位置にする。そのためブレーキペダル１は可能な限り運転者の体幹の中心線上に近い位置に配置するのが好ましいが、一般的な車両ではブレーキペダル１は従来でもほぼこの位置に配置されていることから、配置位置も従来と同じであってよい。
運転者の身体の大小や性別などによって足Ｆの大きさは相違するが、この実施形態においてアクセルペダル２の幅Ｈは、平均的なサイズの足Ｆを有する運転者の五本の指ｆ１〜ｆ５のうち、第一趾ｆ１及び第二趾ｆ２が掛かる程度としてある。アクセルペダル２の長さＬは、平均的なサイズの足Ｆを有する運転者の足Ｆの第一趾ｆ１〜母趾球ｆ１ａ間の長さを目安としている。
【００１５】
このようにすれば、大きなサイズ（２８ｃｍ〜３０ｃｍ程度）の足Ｆを有する運転者であっても、少なくとも第一趾ｆ１をアクセルペダル２に掛けることができ、小さなサイズ（２０ｃｍ〜２２ｃｍ程度）の足Ｆを有する運転者であっても、第一趾ｆ１及び第二趾ｆ２の先をアクセルペダル２に掛けることが可能である。
このようにアクセルペダル２の幅Ｈ及び長さＬを小さくし、かつ、ブレーキペダル１に隣接して配置することで、咄嗟の際、特に運転者がパニックに陥ったような場合に、運転者の足Ｆがブレーキペダル１と間違えてアクセルペダル２だけを踏み込む可能性を低減することができる。
【００１６】
図２は、本発明の別の作用を説明する図である。本発明のように幅Ｈ及び長さＬを運転者の足Ｆに対して十分に小さくしたアクセルペダル２を、ブレーキペダル１の横に隣接配置することで、図２に示すように、通常の運転時に運転者は、図２中の実線で示すように足Ｆをアクセルペダル２に掛けて運転を行っているが、疾病などにより運転者が運転の途中で意識を失うと、運転者の足Ｆは、図２中仮想線で示すように脚の筋力の弛緩により自然と外傾し（外傾方向を矢印Ｘで示す）、足Ｆがアクセルペダル２から自然に脱落する。そのため、意識喪失時にアクセルペダル２を踏み込むことによる車両暴走を防止することができる。
【００１７】
また、アクセルペダル２の操作面２ａの高さは、ブレーキペダル１の操作面１ａよりも低い位置に位置させるとよい。これは現状の車両と同じであり、このような高低差を設けることで、従来の車両のブレーキペダル１やアクセルペダル２と同様に違和感無く操作することが可能になる。さらに、ブレーキペダル１に対するアクセルペダル２の前後位置は、図示するようにアクセルペダル２の前端がブレーキペダル１の前端とほぼ同じになるようにするとよい。
【００１８】
［第二の実施形態］
この実施形態では、図３に示すように、上記の第一の実施形態のアクセルペダル２よりもアクセルペダル２の幅Ｈをさらに小さくし、平均的なサイズの足Ｆを有する運転者の五本の指ｆ１〜ｆ５のうち、第一趾ｆ１のみが掛かるようにする。大きなサイズ（２８ｃｍ〜３０ｃｍ程度）の足Ｆを有する運転者では、第一趾ｆ１がアクセルペダル２から少しはみ出す可能性があるが、第一趾ｆ１の中心はアクセルペダル２に載せることができ、操作に問題は生じない。
このように幅Ｈを第一の実施形態の場合よりも小さくすることで、ブレーキペダル１とアクセルペダル２の誤操作をより低減することができる。また、運転者の意識喪失による車両暴走の可能性もより低減することができる。
【００１９】
［第三の実施形態］
本発明のように、ブレーキペダル１に隣接させてアクセルペダル２を配置し、アクセルペダル２の操作面２ａの高さをブレーキペダル１の操作面１ａよりも低い位置に位置させると、ブレーキペダル１とアクセルペダル２との間の隙間に足Ｆの指（特に第一趾ｆ１）が入り込んでしまって、とっさの際に第一趾ｆ１を前記隙間から上手く脱出させることができず、ブレーキペダル１を踏む操作が遅れる可能性が考えられる。
【００２０】
そこでこの実施形態では、図４に示すように、アクセルペダル２の操作面２ａのブレーキペダル１側の端縁に、運転者の足Ｆの第一趾ｆ１と当接して第一趾ｆ１が前記隙間に入り込まないようにする当接部材３を設けている。当接部材３の幅及び高さは、第一趾ｆ１と当接することで第一趾ｆ１が前記隙間に入り込まないようにできる寸法であればばよい。また、当接部材３の上端は、ブレーキペダル１の操作面１ａから上方に突出しないものとする。
【００２１】
なお、アクセルペダル２を小さくしてブレーキペダル１に隣接させると、運転者にとってアクセルペダル２の位置がわかりづらくなる可能性があるが、このような当接部材３を設けることで、運転者は当接部材３に当接するまでブレーキペダル１側に足Ｆを移動させるだけでよく、アクセルペダル２の位置がわかりやすくなるという利点がある。
【００２２】
［第四の実施形態］
ブレーキペダル１やアクセルペダル２に、横方向（図１（ａ）及び図３において紙面の左右方向）に「遊び」がある場合において、第三の実施形態のようにアクセルペダル２の操作面２ａの端縁に当接部材３を設けると、ブレーキペダル１を操作させたときにブレーキペダル１の下面が当接部材３と干渉して不作為にアクセルペダル２を操作してしまうおそれがある。ブレーキペダル１とアクセルペダル２とが同時に操作されたときは、ソフトウェアを利用した制御によって、ブレーキペダル１の操作を優先させたりアクセルペダル２の操作を無効にするなどの処理が可能である。
【００２３】
この実施形態では、これら制御とは別に又はこれら制御とともに、図５に示すように、ブレーキペダル１の下面のアクセルペダル２側に半円柱状の干渉防止部材４を設けている。
そして、図５（ｂ）に示すように、ブレーキペダル１を踏み込むことによってその下面がアクセルペダル２の当接部材３と干渉すると、図５（ｃ）に示すように干渉防止部材４が当接部材３を介してアクセルペダル２をブレーキペダル１の外側に押し、ブレーキペダル１によってアクセルペダル２が操作されないようにする。
【００２４】
本発明の好適な実施形態について説明したが、本発明のアクセルペダル誤操作防止機構は上記の説明に限定されない。
例えば、上記の第三及び第四の実施形態では、アクセルペダル２側に当接部材３を設け、ブレーキペダル１側に干渉防止部材４を設けているが、ブレーキペダル１側に当接部材３を設けアクセルペダル２側に干渉防止部材４を設けてもよい。
また、本発明は、同様のブレーキペダル及びアクセルペダルを有するものであれば、車両に限らず船舶その他の輸送機械にも適用が可能である。
【図面の簡単な説明】
【００２５】
【図１】本発明の誤操作防止機構の第一の実施形態にかかり、（ａ）はブレーキペダルとアクセルペダルとの位置関係及びアクセルペダルの大きさを説明する平面図、（ｂ）はブレーキペダル及びアクセルペダルの操作面の高さ関係を説明する側面図である。
【図２】本発明の誤操作防止機構の作用を説明する図で、意識喪失時に運転者の足がアクセルペダルから脱落する様子を説明する図である。
【図３】本発明の誤操作防止機構の第二の実施形態にかかり、ブレーキペダルとアクセルペダルとの位置関係及びアクセルペダルの大きさを説明する平面図である。
【図４】本発明の誤操作防止機構の第三の実施形態にかかり、（ａ）はアクセルペダルに当接部材を設けた側面図、（ｂ）は（ａ）のＩ方向矢視図である。
【図５】ブレーキペダルに干渉防止部材を設けた本発明の第四の実施形態にかかり、ブレーキペダルの操作に伴う干渉防止部材の作用を説明する図である。
【符号の説明】
【００２６】
１            ブレーキペダル
１ａ          操作面
２            アクセルペダル
２ａ          操作面
３            当接部材
４            干渉防止部材
Ｆ            足
ｆ１          第一趾
ｆ１ａ        母趾球
ｆ２          第二趾
【図１】
2017165294.tif 000003
【図２】
2017165294.tif 000004
【図３】
2017165294.tif 000005
【図４】
2017165294.tif 000006
【図５】
2017165294.tif 000007